(57)【要約】【課題】推定する干渉電力に応じて適用するブラインド型アダプティブアレーアルゴリズムを動的に選択適用することで、干渉抑圧効果を向上させる。【解決手段】パターン１の第１のアダプティブアレー信号処理部の出力信号電力を所望信号電力の推定値Ｓ１として算出し、パターン１と異なるパターン２の第２のアダプティブアレー信号処理部の出力信号電力を干渉信号電力の推定値Ｓ２として算出し、Ｓ１／Ｓ２を信号対干渉電力比として推定する電力比算出部と、Ｓ１／Ｓ２に応じて、サブキャリア信号ごとに、第１のブラインド型アダプティブアレーアルゴリズムを適用した信号または第２のブラインド型アダプティブアレーアルゴリズムを適用した信号を選択して復調部に出力する。【選択図】  図１
2016042637.tif 000002
【特許請求の範囲】
【請求項１】
サブキャリア信号毎に高レベルと低レベルの電力差が設けられ、マルチキャリア伝送方式で伝送された信号を複数のアンテナで受信して受信処理する複数の無線部と、
前記複数の無線部で受信処理された信号をそれぞれ複数のサブキャリア信号に変換し、高レベルサブキャリア信号に対してその受信電力以下の干渉を抑圧可能な第１のブラインド型アダプティブアレーアルゴリズムを適用し、低レベルサブキャリア信号に対してその受信電力以上の干渉を抑圧可能な第２のブラインド型アダプティブアレーアルゴリズムを適用し、当該適用パターンをパターン１として複数のサブキャリア信号の干渉を抑圧する第１のアダプティブアレー信号処理部と、
前記第１のアダプティブアレー信号処理部の出力信号を復調処理する復調部と
を備えた受信装置において、
前記高レベルサブキャリア信号に前記第２のブラインド型アダプティブアレーアルゴリズムを適用し、前記低レベルサブキャリア信号に前記第１のブラインド型アダプティブアレーアルゴリズムを適用するパターン２で、前記複数のサブキャリア信号を処理する第２のアダプティブアレー信号処理部と、
前記第１のアダプティブアレー信号処理部の出力信号電力を所望信号電力の推定値Ｓ１として算出し、前記第２のアダプティブアレー信号処理部の出力信号電力を干渉信号電力の推定値Ｓ２として算出し、Ｓ１／Ｓ２を信号対干渉電力比として推定する電力比算出部と、
前記Ｓ１／Ｓ２に応じて、前記サブキャリア信号ごとに、前記第１のブラインド型アダプティブアレーアルゴリズムを適用した信号または前記第２のブラインド型アダプティブアレーアルゴリズムを適用した信号を選択し、前記復調部に出力する出力信号選択部と
を備えたことを特徴とする受信装置。
【請求項２】
請求項１に記載の受信装置において、
前記出力信号選択部は、閾値Ｘと閾値Ｙ（Ｘ＞Ｙ）を設定し、（Ｓ１／Ｓ２）＞Ｘであれば、前記サブキャリア信号ごとに、前記第１のブラインド型アダプティブアレーアルゴリズムを適用した信号を選択し、Ｙ≧（Ｓ１／Ｓ２）≧Ｘであれば、前記第１のブラインド型アダプティブアレー信号処理部の出力信号を選択し、（Ｓ１／Ｓ２）＜Ｙであれば、前記サブキャリア信号ごとに、前記第２のブラインド型アダプティブアレーアルゴリズムを適用した信号を選択する構成である
ことを特徴とする受信装置。
【請求項３】
請求項１または請求項２に記載の受信装置において、
前記電力比算出部および前記出力信号選択部は、前記複数のサブキャリア信号をグループに分割したサブチャネルごとに算出した前記Ｓ１／Ｓ２に応じて、各サブチャネルの前記サブキャリア信号ごとに、前記第１のブラインド型アダプティブアレーアルゴリズムを適用した信号または前記第２のブラインド型アダプティブアレーアルゴリズムを適用した信号を選択し、前記復調部に出力する構成である
ことを特徴とする受信装置。
【請求項４】
請求項１〜請求項３のいずれかに記載の受信装置において、
前記マルチキャリア伝送方式で伝送される複数のサブキャリア信号に代えて、シングルキャリア伝送方式で帯域分割多重伝送された複数の帯域の信号に対して、前記第１のブラインド型アダプティブアレーアルゴリズムまたは前記第２のブラインド型アダプティブアレーアルゴリズムを適用した処理を行う構成である
ことを特徴とする受信装置。
【請求項５】
サブキャリア信号毎に高レベルと低レベルの電力差が設けられ、マルチキャリア伝送方式で伝送された信号を複数のアンテナで受信して複数の無線部で受信処理し、
前記複数の無線部で受信処理された信号をそれぞれ複数のサブキャリア信号に変換し、高レベルサブキャリア信号に対してその受信電力以下の干渉を抑圧可能な第１のブラインド型アダプティブアレーアルゴリズムを適用し、低レベルサブキャリア信号に対してその受信電力以上の干渉を抑圧可能な第２のブラインド型アダプティブアレーアルゴリズムを適用する第１のアダプティブアレー信号処理部を用い、当該適用パターンをパターン１として複数のサブキャリア信号の干渉を抑圧し、
前記第１のアダプティブアレー信号処理部の出力信号を復調部で復調処理する受信方法において、
前記高レベルサブキャリア信号に前記第２のブラインド型アダプティブアレーアルゴリズムを適用し、前記低レベルサブキャリア信号に前記第１のブラインド型アダプティブアレーアルゴリズムを適用する第２のアダプティブアレー信号処理部を用い、当該適用パターンをパターン２として前記複数のサブキャリア信号を処理し、
電力比算出部で、前記第１のアダプティブアレー信号処理部の出力信号電力を所望信号電力の推定値Ｓ１として算出し、前記第２のアダプティブアレー信号処理部の出力信号電力を干渉信号電力の推定値Ｓ２として算出し、Ｓ１／Ｓ２を信号対干渉電力比として推定し、
出力信号選択部で、前記Ｓ１／Ｓ２に応じて、前記サブキャリア信号ごとに、前記第１のブラインド型アダプティブアレーアルゴリズムを適用した信号または前記第２のブラインド型アダプティブアレーアルゴリズムを適用した信号を選択して前記復調部に出力する  ことを特徴とする受信方法。
【請求項６】
請求項５に記載の受信方法において、
前記出力信号選択部は、閾値Ｘと閾値Ｙ（Ｘ＞Ｙ）を設定し、（Ｓ１／Ｓ２）＞Ｘであれば、前記サブキャリア信号ごとに、前記第１のブラインド型アダプティブアレーアルゴリズムを適用した信号を選択し、Ｙ≧（Ｓ１／Ｓ２）≧Ｘであれば、前記第１のブラインド型アダプティブアレー信号処理部の出力信号を選択し、（Ｓ１／Ｓ２）＜Ｙであれば、前記サブキャリア信号ごとに、前記第２のブラインド型アダプティブアレーアルゴリズムを適用した信号を選択する
ことを特徴とする受信方法。
【請求項７】
請求項５または請求項６に記載の受信方法において、
前記電力比算出部および前記出力信号選択部は、前記複数のサブキャリア信号をグループに分割したサブチャネルごとに算出した前記Ｓ１／Ｓ２に応じて、各サブチャネルの前記サブキャリア信号ごとに、前記第１のブラインド型アダプティブアレーアルゴリズムを適用した信号または前記第２のブラインド型アダプティブアレーアルゴリズムを適用した信号を選択し、前記復調部に出力する
ことを特徴とする受信方法。
【請求項８】
請求項５〜請求項７のいずれかに記載の受信方法において、
前記マルチキャリア伝送方式で伝送される複数のサブキャリア信号に代えて、シングルキャリア伝送方式で帯域分割多重伝送された複数の帯域の信号に対して、前記第１のブラインド型アダプティブアレーアルゴリズムまたは前記第２のブラインド型アダプティブアレーアルゴリズムを適用した処理を行う
ことを特徴とする受信方法。
【発明の詳細な説明】
【技術分野】
【０００１】
本発明は、推定する干渉電力に応じて、サブキャリア信号毎に適用するブラインド型アダプティブアレーアルゴリズムを動的に選択適用し、干渉抑圧効果を向上させる受信装置および受信方法に関する。
【背景技術】
【０００２】
近年の光アクセス等の普及に伴った様々な大容量サービスに対応するため、無線通信の伝送速度の向上が要求されている。占有する周波数帯域と伝送速度とは比例するため、周波数帯域を拡大することでこれを実現することができる。しかし、実際の周波数資源は有限であるため、周波数帯域の拡大には限界がある。また、ＷｉＦｉ（登録商標）をはじめ、ＷｉＭＡＸ（登録商標）やＬＴＥ（登録商標）のような様々な無線アクセスシステムが普及しており、特にこれらのシステムに割り当てられているマイクロ波帯の周波数資源は逼迫している状況にある。
【０００３】
そこで、限られた周波数資源環境下において伝送容量を向上するためには、送受信局に複数のアンテナを具備し、ＭＩＭＯないしはマルチユーザＭＩＭＯ（ＭＵ−ＭＩＭＯ）技術の適用による空間分割多重伝送が有効である。この手法を拡張し、複数の基地局間におけるチャネル情報や、送信信号、受信信号を共有、もしくはそれらを一括で扱う集中制御局を配置し、（ＭＵ−）ＭＩＭＯ技術を適用することで隣接する基地局間の干渉を除去可能とする基地局連携も検討されている。このように、同一システム間においては干渉信号に関する情報を事前に把握することで干渉に対処することが可能であった。
【０００４】
また、周波数帯域幅を拡大し、さらに伝送容量を向上するためには、複数のシステム間における周波数資源を共用し、複数システム相互の共存を許容する必要がある。異なるシステム間における未知の同一チャネル干渉に対処するためには、アダプティブアレーアンテナ技術が有効である。アダプティブアレーアンテナ技術には様々なアルゴリズムがある。
【０００５】
例えば、同一システムにおける送受信局間において互いに共有しているトレーニング信号のような既知情報を利用する最小平均二乗誤差（ＭＭＳＥ：Minimum Mean Square Error ）法や、既知情報を必要としないブラインド型のアルゴリズムとしては、最大比合成（ＭＲＣ：Maximal Ratio Combining ）、パワーインバージョン（ＰＩ：Power Inversion ）や定包絡線アルゴリズム（ＣＭＡ：Constant Modulus Algorithm）等がある。パケットベースの無線通信では、タイミング検出等のためにトレーニング信号が付与されているためにＭＭＳＥは有効であるが、どのようなタイミングで、またどのようなレベルで干渉が到来するかも予測できない状況においては、トレーニング信号を必要としないＭＲＣ，ＰＩ，ＣＭＡが有効であると考えられる。
【０００６】
非特許文献１では、直交周波数分割多重（ＯＦＤＭ：Orthogonal Frequency Division Multiplexing）のようなマルチキャリア伝送システムにおいて、所望信号と同等のレベルの干渉信号、すなわち信号対干渉電力比（ＳＩＲ：Signal to Interference power Ratio）の値が０ｄＢ周辺である干渉信号を抑圧することを目的として、送信側において、サブキャリア毎に電力差を設け、干渉波に対してＳＩＲ＞０ｄＢおよびＳＩＲ＜０ｄＢとなる状況を意図的に作り出し、ＭＲＣおよびＰＩを適切に動作させる手法が紹介されている。すなわち、高電力を割り当てるサブキャリア（高レベルサブキャリアとする）にはＳＩＲ＞０ｄＢにて干渉を抑圧可能なＭＲＣを適用し、低い電力を割り当てるサブキャリア（低レベルサブキャリアとする）にはＳＩＲ＜０ｄＢにて干渉を抑圧可能なＰＩを適用する手法である。これにより、ＳＩＲ＝０ｄＢ周辺における干渉波を事前情報なしに抑圧可能となる。
【０００７】
図７は、従来技術におけるサブキャリアと電力の割り当て例を示す。
図７において、横軸は周波数、縦軸は電力を示し、受信局における各サブキャリアにおける電力レベルを表す。以下、サブキャリアごとのＳＩＲについてはＳＩＲｓと表記し、全サブキャリアに亘る信号で見たＳＩＲについてはＳＩＲｔと表記する。
【０００８】
１１ａ〜１１ｃは高レベルサブキャリア、１２ａ〜１２ｎは低レベルサブキャリアである。高レベルサブキャリア１１ａ〜１１ｃの受信信号にはＳＩＲｓ＞０ｄＢで干渉を抑圧可能なアルゴリズム（ＭＲＣ，ＣＭＡ等）を適用し、低レベルサブキャリア１２ａ〜１２ｎの受信信号にはＳＩＲｓ＜０ｄＢにて干渉を抑圧可能なアルゴリズム（ＰＩ等）を適用する。このとき、干渉波１３のレベルが、高レベルサブキャリア１１ａ〜１１ｃと低レベルサブキャリア１２ａ〜１２ｎのレベル差の間となる状況で受信されれば、それぞれのサブキャリアにおいてアダプティブアレーアルゴリズムが干渉を抑圧するように動作し、所望信号を得ることが可能となる。
【０００９】
ここで、高レベルサブキャリア１１ａと低レベルサブキャリア１２ａのレベル差をＧ[dB]、ひとつの高レベルサブキャリア１１ａに対する低レベルサブキャリア１２ａ〜１２ｆの数をＦと定義する。これらのパラメータＧおよびＦを制御することにより、干渉波１３の電力を適切に抑圧可能となる。
【００１０】
図８は、従来の受信装置の構成例を示す。ここでは、２つのアンテナが備えられている場合の構成が示す。
【００１１】
図８において、従来の受信装置は、アンテナ１ａ，１ｂ、無線部２ａ，２ｂ、直列／並列変換部３ａ，３ｂ、アダプティブアレー信号処理部４、並列／直列変換部８、復調部９を有している。図８における実線の矢印は時間軸上の信号の伝達を表し、白抜きの矢印は複数のサブキャリア（周波数軸上）の信号の伝達を表す。アンテナ１ａ，１ｂそれぞれは、異なるチャネルを経由して到達した所望信号と干渉信号とが合成された信号を受信する。無線部２ａは、アンテナ１ａで受信された無線周波数（ＲＦ）信号に対する受信処理を行う。受信処理には、所望信号の帯域以外の周波数成分を除去するためのフィルタ処理や、フィルタを通過したＲＦ信号を中間周波数（ＩＦ）帯の信号へ変換する周波数変換処理、ＩＦ信号をデジタル信号に変換するＡ／Ｄ変換処理などが含まれる。無線部２ａは、無線信号に対する受信処理で得られたベースバンドの受信信号を直列／並列変換部３ａに出力する。無線部２ｂは、アンテナ１ｂで受信された無線信号に対して、無線部２ａと同様の受信処理を行い、無線信号に対する受信処理で得られたベースバンドの受信信号を直列／並列変換部３ｂに出力する。
【００１２】
直列／並列変換部３ａ，３ｂは、それぞれのベースバンド受信信号を複数のサブキャリア信号に変換する。ＯＦＤＭ等のマルチキャリア伝送方式を用いるのであれば高速フーリエ変換（ＦＦＴ：Fast Fourier Transform）処理を施し、各サブキャリアの受信信号に変換してアダプティブアレー信号処理部４に出力する。シングルキャリア伝送方式であれば、帯域ごとに帯域通過フィルタ処理を施し、分割された複数の帯域の信号をアダプティブアレー信号処理部４に出力する。
【００１３】
アダプティブアレー信号処理部４は、入力された受信系統数の受信信号を用いて、サブキャリア毎に受信ウェイトを算出し、各受信信号に適用する。ウェイトの適用により加算合成された受信信号は並列／直列変換部８へ出力される。並列／直列変換部８は、ＯＦＤＭ（マルチキャリア）方式の場合はサブキャリア毎の信号の並びを直列に変換し、復調部９へ出力する。シングルキャリア伝送の場合には、周波数分割された信号を合成し、時間軸上の信号へと再変換して復調部９へ出力する。復調部９は、直交復調処理によりデマッピングされたシンボルを取得し、取得したシンボルに対して誤り訂正復号処理などを行うことにより、最終的なデータ系列を取得する。復調部９は、取得したデータ系列を出力する。
【００１４】
図９は、アダプティブアレー信号処理部４の構成例を示す。
図９において、アダプティブアレー信号処理部４は、アレー処理制御部４１、ウェイト算出部４２、乗算器４３，４４、加算器４５を有する。ウェイト算出部４２、乗算器４３，４４、加算器４５は、サブキャリア数ｎと同数備えられる。ウェイト算出部４２1 は、直列／並列変換部３ａ，３ｂそれぞれから出力されるサブキャリア＃１の受信信号に基づいて、各受信信号に適用するウェイトをアレー処理制御部４１が指定する公知のアダプティブアレーアルゴリズムにより算出し、ウェイトを乗算器４３1 ，４４1 それぞれに出力する。乗算器４３1 は、ウェイト算出部４２1 から出力されたウェイトを、直列／並列変換部３ａから出力されたサブキャリア＃１の受信信号に乗算し、乗算結果を加算器４５1 に出力する。乗算器４４1 は、乗算器４３1 と同様に、ウェイト算出部４２1 から出力されたウェイトを、直列／並列変換部３ｂから出力されたサブキャリア＃１の受信信号に乗算し、乗算結果を加算器４５1 に出力する。加算器４５1 は、乗算器４３1 ，４４1 それぞれから出力された乗算結果を加算し、加算結果を並列／直列変換部８に出力する。ウェイト算出部４２2 〜４２n 、乗算器４３2 〜４３n ，４４2 〜４４n 、加算器４５2 〜４５n についても同様に、サブキャリア＃２〜＃ｎの受信信号に対してウェイト算出、ウェイトの乗算および加算合成処理を行い、並列／直列変換処理部８に出力する。
【００１５】
このとき、アレー処理制御部４１は、図７に示すように、高レベルサブキャリアの受信信号に対応するウェイト算出部では、ＳＩＲｓ＞０ｄＢにて干渉信号を抑圧するＭＲＣやＣＭＡ等を適用し、低レベルサブキャリアの受信信号に対応するウェイト算出部では、ＳＩＲｓ＜０ｄＢにて干渉信号を抑圧するＰＩ等を適用する。これらの制御は、送信局におけるサブキャリア毎の送信電力割り当てとともに事前に定められる。
【００１６】
図１０は、従来の受信装置の処理手順を示す。
図１０において、従来の受信装置が受信動作を開始すると（ステップＳ１）、無線部２ａ，２ｂそれぞれは、接続されたアンテナ１ａ，１ｂで受信された信号に対して受信処理を行い、得られたベースバンドの受信信号を直列／並列変換部３ａ，３ｂへ出力する（ステップＳ２）。直列／並列変換部３ａ，３ｂは、時間軸上の受信信号をＦＦＴ等の処理により周波数軸上の信号に変換し、アダプティブアレー信号処理部４に出力する（ステップＳ３）。アダプティブアレー信号処理部４は、直列／並列変換部３ａ，３ｂから入力されるサブキャリア毎の受信信号に対して、公知のアダプティブアレーアルゴリズムを用いてウェイトを算出し、算出したウェイトを適用し、１系統の受信信号を並列／直列変換部８へ出力する（ステップＳ４）。並列／直列変換部８は、アダプティブアレー信号処理部４においてウェイトが乗算された各サブキャリアの受信信号を直列の受信信号に変換し、復調部９へ出力する（ステップＳ８）。復調部９は、並列／直列変換部８から入力された受信信号に対して復調処理を行うことによりデータ系列を取得し、取得したデータ系列を出力し（ステップＳ９）、受信動作を終了させる（ステップＳ１０）。
【００１７】
このように、ウェイトの乗算および合成を含むアレー処理により干渉信号の抑圧された各サブキャリアの信号が得られる。
【００１８】
ここでは、サブキャリアごとのアレー処理を実施する構成として、サブキャリアごとにウェイト算出部４２、乗算器４３，４４、加算器４５を備える場合を用いて説明したが、この例に限らず本処理は実施可能である。例えば、ウェイト算出部４２、乗算器４３，４４、加算器４５を一つずつ、ないしはサブキャリア数よりも少ない数だけ備え、サブキャリア毎のアレー処理を時分割にて実施する構成としても構わない。また、複数のサブキャリアをまとめて一つのサブチャネルとし、サブチャネル単位で上記アレー処理を実施してもかまわない。このように、いかなる方法を用いてもＯＦＤＭ（マルチキャリア伝送）におけるアレー処理は実現可能である。
【００１９】
なお、図８および図９の例では受信アンテナが２本の場合を例にとり説明したが、アンテナ数は３本以上であっても構わない。一般に、アンテナ数をＬ本とすると、アダプティブアレーの適用によりＬ−１の干渉波を抑圧することが可能となる。
【００２０】
以上のように構成された受信装置において、サブキャリア毎にＣＭＡやＰＩのアルゴリズムを用いることにより、トレーニング信号などの既知信号を用いることなく、所望信号と同等の受信電力（すなわちＳＩＲｔ≒０ｄＢ）にて到来する干渉信号を抑圧し、無線通信システムにおいて通信を行うことができる。
【先行技術文献】
【非特許文献】
【００２１】
【非特許文献１】丸田, 増野, 杉山, “サブキャリア送信電力制御を用いたブラインド型アダプティブアレー, ”信学技報, vol.113, no.301, RCS2013-196, pp.129-134, 2013年11月.
【発明の概要】
【発明が解決しようとする課題】
【００２２】
しかしながら、上記の受信方法は、干渉電力が高レベルサブキャリアと低レベルサブキャリアの間に到来する場合に干渉信号を抑圧可能とするものであり、干渉電力が高レベルサブキャリアよりも大きくなる場合、もしくは低レベルサブキャリアよりも小さくなる場合には干渉を適切に抑圧できない。そのため、干渉電力を事前に把握することができない環境においては、干渉抑圧効果を確実に得られないという問題がある。
【００２３】
本発明は、干渉電力を参照信号等の事前情報を用いることなく推定し、推定する干渉電力に応じて適用するブラインド型アダプティブアレーアルゴリズムを動的に選択適用することで、干渉抑圧効果を向上させることができる受信装置および受信方法を提供することを目的とする。
【課題を解決するための手段】
【００２４】
第１の発明は、サブキャリア信号毎に高レベルと低レベルの電力差が設けられ、マルチキャリア伝送方式で伝送された信号を複数のアンテナで受信して受信処理する複数の無線部と、複数の無線部で受信処理された信号をそれぞれ複数のサブキャリア信号に変換し、高レベルサブキャリア信号に対してその受信電力以下の干渉を抑圧可能な第１のブラインド型アダプティブアレーアルゴリズムを適用し、低レベルサブキャリア信号に対してその受信電力以上の干渉を抑圧可能な第２のブラインド型アダプティブアレーアルゴリズムを適用し、当該適用パターンをパターン１として複数のサブキャリア信号の干渉を抑圧する第１のアダプティブアレー信号処理部と、第１のアダプティブアレー信号処理部の出力信号を復調処理する復調部とを備えた受信装置において、高レベルサブキャリア信号に第２のブラインド型アダプティブアレーアルゴリズムを適用し、低レベルサブキャリア信号に第１のブラインド型アダプティブアレーアルゴリズムを適用するパターン２で、複数のサブキャリア信号を処理する第２のアダプティブアレー信号処理部と、第１のアダプティブアレー信号処理部の出力信号電力を所望信号電力の推定値Ｓ１として算出し、第２のアダプティブアレー信号処理部の出力信号電力を干渉信号電力の推定値Ｓ２として算出し、Ｓ１／Ｓ２を信号対干渉電力比として推定する電力比算出部と、Ｓ１／Ｓ２に応じて、サブキャリア信号ごとに、第１のブラインド型アダプティブアレーアルゴリズムを適用した信号または第２のブラインド型アダプティブアレーアルゴリズムを適用した信号を選択し、復調部に出力する出力信号選択部とを備える。
【００２５】
第１の発明の受信装置において、出力信号選択部は、閾値Ｘと閾値Ｙ（Ｘ＞Ｙ）を設定し、（Ｓ１／Ｓ２）＞Ｘであれば、サブキャリア信号ごとに、第１のブラインド型アダプティブアレーアルゴリズムを適用した信号を選択し、Ｙ≧（Ｓ１／Ｓ２）≧Ｘであれば、第１のブラインド型アダプティブアレー信号処理部の出力信号を選択し、（Ｓ１／Ｓ２）＜Ｙであれば、サブキャリア信号ごとに、第２のブラインド型アダプティブアレーアルゴリズムを適用した信号を選択する構成である。
【００２６】
第１の発明の受信装置において、電力比算出部および出力信号選択部は、複数のサブキャリア信号をグループに分割したサブチャネルごとに算出したＳ１／Ｓ２に応じて、各サブチャネルのサブキャリア信号ごとに、第１のブラインド型アダプティブアレーアルゴリズムを適用した信号または第２のブラインド型アダプティブアレーアルゴリズムを適用した信号を選択し、復調部に出力する構成である。
【００２７】
第１の発明の受信装置において、マルチキャリア伝送方式で伝送される複数のサブキャリア信号に代えて、シングルキャリア伝送方式で帯域分割多重伝送された複数の帯域の信号に対して、第１のブラインド型アダプティブアレーアルゴリズムまたは第２のブラインド型アダプティブアレーアルゴリズムを適用した処理を行う構成である。
【００２８】
第２の発明は、サブキャリア信号毎に高レベルと低レベルの電力差が設けられ、マルチキャリア伝送方式で伝送された信号を複数のアンテナで受信して複数の無線部で受信処理し、複数の無線部で受信処理された信号をそれぞれ複数のサブキャリア信号に変換し、高レベルサブキャリア信号に対してその受信電力以下の干渉を抑圧可能な第１のブラインド型アダプティブアレーアルゴリズムを適用し、低レベルサブキャリア信号に対してその受信電力以上の干渉を抑圧可能な第２のブラインド型アダプティブアレーアルゴリズムを適用する第１のアダプティブアレー信号処理部を用い、当該適用パターンをパターン１として複数のサブキャリア信号の干渉を抑圧し、第１のアダプティブアレー信号処理部の出力信号を復調部で復調処理する受信方法において、高レベルサブキャリア信号に第２のブラインド型アダプティブアレーアルゴリズムを適用し、低レベルサブキャリア信号に第１のブラインド型アダプティブアレーアルゴリズムを適用する第２のアダプティブアレー信号処理部を用い、当該適用パターンをパターン２として複数のサブキャリア信号を処理し、電力比算出部で、第１のアダプティブアレー信号処理部の出力信号電力を所望信号電力の推定値Ｓ１として算出し、第２のアダプティブアレー信号処理部の出力信号電力を干渉信号電力の推定値Ｓ２として算出し、Ｓ１／Ｓ２を信号対干渉電力比として推定し、出力信号選択部で、Ｓ１／Ｓ２に応じて、サブキャリア信号ごとに、第１のブラインド型アダプティブアレーアルゴリズムを適用した信号または第２のブラインド型アダプティブアレーアルゴリズムを適用した信号を選択して復調部に出力する。
【００２９】
第２の発明の受信方法において、出力信号選択部は、閾値Ｘと閾値Ｙ（Ｘ＞Ｙ）を設定し、（Ｓ１／Ｓ２）＞Ｘであれば、サブキャリア信号ごとに、第１のブラインド型アダプティブアレーアルゴリズムを適用した信号を選択し、Ｙ≧（Ｓ１／Ｓ２）≧Ｘであれば、第１のブラインド型アダプティブアレー信号処理部の出力信号を選択し、（Ｓ１／Ｓ２）＜Ｙであれば、サブキャリア信号ごとに、第２のブラインド型アダプティブアレーアルゴリズムを適用した信号を選択する。
【００３０】
第２の発明の受信方法において、電力比算出部および出力信号選択部は、複数のサブキャリア信号をグループに分割したサブチャネルごとに算出したＳ１／Ｓ２に応じて、各サブチャネルのサブキャリア信号ごとに、第１のブラインド型アダプティブアレーアルゴリズムを適用した信号または第２のブラインド型アダプティブアレーアルゴリズムを適用した信号を選択し、復調部に出力する。
【００３１】
第２の発明の受信方法において、マルチキャリア伝送方式で伝送される複数のサブキャリア信号に代えて、シングルキャリア伝送方式で帯域分割多重伝送された複数の帯域の信号に対して、第１のブラインド型アダプティブアレーアルゴリズムまたは第２のブラインド型アダプティブアレーアルゴリズムを適用した処理を行う。
【発明の効果】
【００３２】
本発明の受信装置および受信方法は、サブキャリア毎に異なるブラインド型アダプティブアレーアルゴリズムを適用する際に、パターン１およびパターン２にてウェイトを適用した信号から帯域全体におけるＳＩＲ（Ｓ１／Ｓ２）を推定し、推定したＳＩＲに応じて復調処理に出力する適用アルゴリズムのパターンを選択することにより、干渉電力を事前に把握することができない場合においても適切なアダプティブアレーアルゴリズムを動的に選択することができ、干渉抑圧効果を向上させることができる。
【図面の簡単な説明】
【００３３】
【図１】本発明の受信装置の実施例構成を示す図である。
【図２】アダプティブアレー信号処理部４ａ，４ｂの処理例を示す図である。
【図３】Ｓ１／Ｓ２に基づいて適用するアダプティブアレーアルゴリズムの適用例を示す図である。
【図４】本発明の受信方法の実施例１の処理手順例を示すフローチャートである。
【図５】本発明の受信装置の動作原理を説明する図である。
【図６】本発明の受信方法の実施例２の処理手順例を示すフローチャートである。
【図７】従来技術におけるサブキャリアと電力の割り当て例を示す図である。
【図８】従来の受信装置の構成例を示す図である。
【図９】アダプティブアレー信号処理部４の構成例を示す図である。
【図１０】従来の受信装置の処理手順例を示すフローチャートである。
【発明を実施するための形態】
【実施例１】
【００３４】
図１に、本発明の受信装置の実施例構成を示す。ここに示す受信装置の実施例構成は、以下に説明する実施例１と実施例２において共通である。ここでは、２つのアンテナが備えられている場合の構成が示す。
【００３５】
図１において、本発明の受信装置は、アンテナ１ａ，１ｂ、無線部２ａ，２ｂ、直列／並列変換部３ａ，３ｂ、アダプティブアレー信号処理部４ａ，４ｂ、バッファ５ａ，５ｂ、電力比算出部６、出力信号選択部７、並列／直列変換部８、復調部９を備える。図８に示す従来の受信装置と共通するブロックには同じ番号を付している。本発明においては、アダプティブアレー信号処理部４ｂ、バッファ５ａ，５ｂ、電力比算出部６、出力信号選択部７を新たに備えている点が従来の受信装置と異なる。図１における実線の矢印は時間軸上の信号の伝達を表し、白抜きの矢印は複数のサブキャリア（周波数軸上）の信号の伝達を表す。
【００３６】
アンテナ１ａ，１ｂそれぞれは、異なるチャネルを経由して到達した所望信号と干渉信号とが合成された信号を受信する。無線部２ａは、アンテナ１ａで受信された無線周波数（ＲＦ）信号に対する受信処理を行う。受信処理には、所望信号の帯域以外の周波数成分を除去するためのフィルタ処理や、フィルタを通過したＲＦ信号を中間周波数（ＩＦ）帯の信号へ変換する周波数変換処理、ＩＦ信号をデジタル信号に変換するＡ／Ｄ変換処理などが含まれる。無線部２ａは、無線信号に対する受信処理で得られたベースバンドの受信信号を直列／並列変換部３ａに出力する。無線部２ｂは、アンテナ１ｂで受信された無線信号に対して、無線部２ａと同様の受信処理を行い、無線信号に対する受信処理で得られたベースバンドの受信信号を直列／並列変換部３ｂに出力する。
【００３７】
直列／並列変換部３ａ，３ｂは、それぞれのベースバンド受信信号を複数のサブキャリア信号に変換する。ＯＦＤＭ等のマルチキャリア伝送方式を用いるのであればＦＦＴ処理を施し、各サブキャリアの受信信号に変換してアダプティブアレー信号処理部４ａ，４ｂにそれぞれ出力する。シングルキャリア伝送方式であれば、帯域ごとに帯域通過フィルタ処理を施し、分割された複数の帯域の信号をアダプティブアレー信号処理部４ａ，４ｂにそれぞれ出力する。アダプティブアレー信号処理部４ａ，４ｂは、入力された受信系統数の受信信号を用いて、サブキャリア毎に受信ウェイトを算出し、各サブキャリアの受信信号に適用する。このとき、アダプティブアレー信号処理部４ａ，４ｂは、互いに異なるアルゴリズムのパターンを用いて信号処理を行う。
【００３８】
高レベルサブキャリアには、ＳＩＲｓ＞０ｄＢにて干渉信号を抑圧可能なアルゴリズム（例えばＣＭＡ）を適用し、低レベルサブキャリアには、ＳＩＲｓ＜０ｄＢにて干渉信号を抑圧可能なアルゴリズム（例えばＰＩ）を適用するパターンを「パターン１」とする。それに対し、高レベルサブキャリアには、ＳＩＲｓ＜０ｄＢにて干渉信号を抑圧可能なアルゴリズム（例えばＰＩ）を適用し、低レベルサブキャリアには、ＳＩＲｓ＞０ｄＢにて干渉信号を抑圧可能なアルゴリズム（例えばＣＭＡ）を適用するパターンを「パターン２」とする。例えば、図２に示すように、アダプティブアレー信号処理部４ａで各サブキャリアに適用するアルゴリズムを、
パターン１：ＣＭＡ，ＰＩ，ＰＩ，ＰＩ，ＰＩ，ＰＩ，ＣＭＡ，ＰＩ，…
とし、アダプティブアレー信号処理部４ｂで各サブキャリアに適用するアルゴリズムを、  パターン２：ＰＩ，ＣＭＡ，ＣＭＡ，ＣＭＡ，ＣＭＡ，ＣＭＡ，ＰＩ，ＣＭＡ，…
のように、相反するアルゴリズムのパターンを適用する。
【００３９】
アダプティブアレー信号処理部４ａ，４ｂにおいてウェイトの適用により加算合成された受信信号は、バッファ５ａ，５ｂおよび電力比算出部６にそれぞれ出力される。バッファ５ａは、アダプティブアレー信号処理部４ａの出力信号を一時的に保存する。同様に、バッファ５ｂはアダプティブアレー信号処理部４ｂの出力信号を一時的に保存する。その間、電力比算出部６はアダプティブアレー信号処理部４ａ，４ｂそれぞれの全サブキャリアに亘る信号電力を算出して比較し、出力信号選択部７に出力する。具体的には、アダプティブアレー信号処理部４ａの出力信号電力を所望信号電力の推定値Ｓ１、アダプティブアレー信号処理部４ｂの出力信号電力を干渉信号電力の推定値Ｓ２とし、Ｓ１／Ｓ２を、全サブキャリアに亘る信号電力で比較した推定ＳＩＲｔとして、出力信号選択部７に出力する。
【００４０】
出力信号選択部７は、電力比算出部６から入力された推定ＳＩＲｔと、予め定められる閾値ＸおよびＹ（Ｘ＞Ｙ）とを比較し、満たす条件に応じて出力するサブキャリアの受信信号を選択する。その一例を、図３を参照して説明する。
【００４１】
閾値Ｘは、全てのサブキャリアにおいて所望信号電力が干渉信号電力よりも大きくなるようなＳＩＲｔとして設定され、一方、閾値Ｙは全てのサブキャリアにおいて所望信号電力が干渉信号電力よりも小さい条件となるＳＩＲｔとして設定される。
【００４２】
（Ｓ１／Ｓ２）＞Ｘの場合、全てのサブキャリアにおいてＳＩＲｓ＞０ｄＢにて干渉信号を抑圧可能なアルゴリズム（例えばＣＭＡ）を適用する。このとき出力信号選択部７は、バッファ５ａ，５ｂから、ＣＭＡを適用したサブキャリアの受信信号のみを選択し、並列／直列変換部８に出力する。
【００４３】
Ｘ≧（Ｓ１／Ｓ２）≧Ｙの場合、図７に示すように、干渉信号の電力密度は高レベルサブキャリアと低レベルサブキャリアとの間となるような状況であることが推定されるため、出力信号選択部７は、パターン１に対応するバッファ５ａの受信信号のみを選択し、並列／直列変換部８に出力する。すなわち、高レベルサブキャリアにはＳＩＲｓ＞０ｄＢにて干渉信号を抑圧可能なアルゴリズム（例えばＣＭＡ）を適用した受信信号を選択し、低レベルサブキャリアにはＳＩＲｓ＜０ｄＢにて干渉信号を抑圧可能なアルゴリズム（例えばＰＩ）を適用した受信信号を選択する。
【００４４】
（Ｓ１／Ｓ２）＜Ｙの場合には、全てのサブキャリアにおいてＳＩＲｓ＜０ｄＢにおいて干渉信号を抑圧可能なアルゴリズム（例えばＰＩ）を適用する。このとき出力信号選択部７は、バッファ５ａ，５ｂから、ＰＩを適用したサブキャリアの受信信号のみを選択し、並列／直列変換部８に出力する。
【００４５】
並列／直列変換部８は、出力信号選択部７から入力されたサブキャリアごとの信号を直列のデータに変換し、復調部９に出力する。復調部９は、直交復調処理によりデマッピングされたシンボルを取得し、取得したシンボルに対して誤り訂正復号処理などを行うことにより、最終的なデータ系列を取得する。復調部９は、取得したデータ系列を出力する。  
【００４６】
図４は、本発明の受信装置の実施例１の処理手順例を示す。
図４において、実施例１の受信装置が受信動作を開始すると（ステップＳ１）、無線部２ａ，２ｂそれぞれは、接続されたアンテナ１ａ，１ｂで受信された信号に対してＡ／Ｄ変換等の受信処理を行い、得られたベースバンドの受信信号を直列／並列変換部３ａ，３ｂに出力する（ステップＳ２）。直列／並列変換部３ａ，３ｂは、時間軸上の受信信号をＦＦＴ等の処理により周波数軸上の信号に変換し、アダプティブアレー信号処理部４ａ，４ｂに出力する（ステップＳ３）。アダプティブアレー信号処理部４ａは、直列／並列変換部３ａから入力されるサブキャリア毎の受信信号に対して、パターン１のアダプティブアレーアルゴリズムを用いてウェイトを算出し、算出したウェイトを適用し、１系統の受信信号をバッファ５ａおよび電力比算出部６に出力する（ステップＳ４−１）。バッファ５ａは、前記アレー処理の適用された信号を一時保存する（ステップＳ５−１）。
【００４７】
一方、アダプティブアレー信号処理部４ｂは、直列／並列変換部３ｂから入力されるサブキャリア毎の受信信号に対して、パターン２のアダプティブアレーアルゴリズムを用いてウェイトを算出し、算出したウェイトを適用し、１系統の受信信号をバッファ５ｂおよび電力比算出部６に出力する（ステップＳ４−２）。バッファ５ｂは、前記アレー処理の適用された信号を一時保存する（ステップＳ５−２）。
【００４８】
電力比算出部６は、アダプティブアレー信号処理部４ａ，４ｂの全帯域に亘る出力信号電力Ｓ１，Ｓ２をそれぞれ算出し、さらにＳ１／Ｓ２を算出して推定ＳＩＲｔとして出力信号選択部７に出力する（ステップＳ６）。出力信号選択部７は、Ｓ１／Ｓ２と閾値Ｘ，Ｙとを比較し、満たす条件に従いバッファ５ａ，５ｂから出力する各サブキャリアの信号を選択し、並列／直列変換部８へ出力する（ステップＳ７）。並列／直列変換部８は、選択された前記各サブキャリアの受信信号を直列の受信信号に変換し、復調部９へ出力する（ステップＳ８）。復調部９は、並列／直列変換部８から入力された受信信号に対して復調処理を行うことによりデータ系列を取得し、取得したデータ系列を出力し（ステップＳ９）、受信動作を終了させる（ステップＳ１０）。
【００４９】
ここで、本発明の動作原理について、図５を参照して詳細に説明する。
従来技術は、高レベルサブキャリアと低レベルサブキャリアのように、レベル差を設けるように電力を割り当てられた所望の送信信号に対し、パターン１によるアダプティブアレー処理を施すことで、レベル差の範囲内での電力密度（すなわち従来技術の動作範囲内）にて受信される干渉信号を抑圧し、所望信号が適切に得られるものである。これに対し、本発明では、抑圧可能な干渉のＳＩＲの条件がパターン１とは異なるアルゴリズムを各サブキャリアに適用するパターン２によるアダプティブアレー処理を施すことで所望信号を抑圧し、干渉信号を得る。すなわちパターン１のアレー処理による出力信号電力を所望信号電力の推定値Ｓ１と、パターン２のアレー処理による出力信号電力を干渉信号電力の推定値Ｓ２とし、その電力比（Ｓ１／Ｓ２）を推定ＳＩＲｔとして算出する。
【００５０】
図５は、本発明の実施例１により推定される所望信号電力Ｓ１、干渉信号電力Ｓ２、およびそれらの電力比Ｓ１／Ｓ２の関係を示すシミュレーション結果の一例を示す。受信機は２本のアンテナを備え、１つの所望信号に対し１つの干渉信号が受信される場合である。また、伝搬路は周波数方向に変動のないフラットフェージング、高／低レベルサブキャリアの電力比Ｇ＝13ｄＢ、高レベルサブキャリアに対する低レベルサブキャリアの数Ｆ＝５という条件下でのシミュレーション結果である。横軸をＳＩＲｔとしたとき、パターン１のアレー出力信号電力（所望信号電力の推定値）であるＳ１と、パターン２のアレー出力信号電力（干渉信号電力の推定値）であるＳ２は、図５(a) に示すような関係にある。これらの比Ｓ１／Ｓ２（ＳＩＲｔの推定値）は、図５(b) のような特性を示す。
【００５１】
ＳＩＲｔが±6.5 ｄＢ（図中の実線）の範囲内においては、ＳＩＲｔ≒Ｓ１／Ｓ２となっており、これはパターン１を適用する従来技術が適切に干渉信号を抑圧し、動作範囲内にあることを示している。
【００５２】
ＳＩＲｔ＜−6.5 ｄＢの領域においては、Ｓ１／Ｓ２は−7.5 ｄＢあたりのほぼ一定値を示しており、これは図７において干渉信号の電力密度が高レベルサブキャリアよりも大きいため、高レベルサブキャリアにおけるアレー処理が適切に動作していないこと、すなわち全てのサブキャリアにおいてＰＩを適用すべきであることを意味する。
【００５３】
ＳＩＲｔ＞ 6.5ｄＢの領域においては、Ｓ１／Ｓ２は 5.5ｄＢあたりのほぼ一定の値を示しており、これは図７において干渉信号の電力密度が低レベルサブキャリアよりも小さいため、低レベルサブキャリアにおけるアレー処理が適切に動作していないこと、すなわち全てのサブキャリアにおいてＣＭＡを適用すべきであることを意味する。
【００５４】
本発明はこのような特徴を利用し、閾値ＸおよびＹ（図５の例ではＸ＝5.5 ｄＢ，Ｙ＝−7.5 ｄＢ）を設定し、さらにパターン１およびパターン２によるアダプティブアレーアルゴリズムを適用した受信信号から算出するＳ１／Ｓ２（推定ＳＩＲｔ）を閾値ＸおよびＹと比較することにより、特別な事前情報を用いることなくＳＩＲを推定することが可能となる。そして、（Ｓ１／Ｓ２）＞Ｘであれば全てのサブキャリアにＳＩＲ＞０ｄＢにて干渉信号を抑圧可能なアルゴリズム（例えばＣＭＡ）を適用し、Ｘ≧（Ｓ１／Ｓ２）≧Ｙであれば従来技術のアルゴリズムの適用法であるパターン１を適用し、（Ｓ１／Ｓ２）＜Ｙであれば全てのサブキャリアにＳＩＲ＜０ｄＢにて干渉信号を抑圧可能なアルゴリズム（例えばＰＩ）を適用することで、干渉信号を適切に抑圧可能となる。
【００５５】
なお、本実施例において、バッファ５ａ，５ｂを省略した構成としてもよい。その場合、電力比算出部６においてＳ１／Ｓ２を算出した結果をもとに、出力信号選択部７が選択するサブキャリア毎の信号の対象は、次以降のタイムスロットにおいて処理される信号となる。さらに、各パターン、各サブキャリアにおいて適用するアダプティブアレー処理はいかなる方法であってかまわない。例えば、複数のアダプティブアレーアルゴリズムを適用し、それらの出力の合計から電力を算出するようにしてもかまわない。
【００５６】
このように、２つのアルゴリズムパターンにてサブキャリア毎にアダプティブアレー処理を適用した信号から帯域全体におけるＳＩＲｔを推定し、推定したＳＩＲｔに応じてサブキャリアごとに適用アルゴリズムを選択することにより、任意の干渉レベルにおいて適切に干渉信号を抑圧した受信信号が得られる。
【実施例２】
【００５７】
実施例１では、電力比算出部６が全てのサブキャリアを対象として推定ＳＩＲｔ（Ｓ１／Ｓ２）を算出したが、実施例２では、複数のサブキャリアをグループに分割したサブチャネル＃ｉ単位に、推定ＳＩＲｔi （Ｓ１i ／Ｓ２i ）を算出することを特徴とする。周波数選択性の大きいチャネル環境下では、あるサブチャネルにおいては干渉電力が大きく、またあるサブチャネルにおいては干渉電力が小さいことが考えられる。もしくは、所望信号のすべての帯域ではなく、一部の帯域に対してのみ干渉波が到来する場合も考えられる。実施例２では、干渉電力（ＳＩＲｔ）の推定処理をサブチャネルごとに細分化することにより、干渉電力の推定精度を向上し、適切なアレー処理を適用することにより高い干渉抑圧効果を得ることを目的とする。
【００５８】
受信装置の構成は、図１に示す実施例１のものと同様である。実施例２における特徴的処理は、電力比算出部６および出力信号選択部７で実施される。
【００５９】
電力比算出部６は、アダプティブアレー信号処理部４ａ，４ｂそれぞれから入力された信号に対し、サブチャネル毎に信号電力を算出して比較し、出力信号選択部７に出力する。具体的には、複数のサブキャリアを１つのグループ：サブチャネルと定義し、サブチャネル毎に電力の比較を行う。
【００６０】
例えば、図２に示す例では、サブキャリア＃１〜＃６をサブチャネル＃１、サブキャリア＃７〜＃１２をサブチャネル＃２のように、６サブキャリアをひとつのサブチャネルとしてグループ化している。このとき、ひとつのサブチャネルには高レベルサブキャリアと低レベルサブキャリアが含まれることが好ましい。アダプティブアレー信号処理部４ａからの出力信号のサブチャネル＃ｉの電力をＳ１i とし、アダプティブアレー信号処理部４ｂからの出力信号のサブチャネル＃ｉの電力をＳ２i とし、Ｓ１i ／Ｓ２i を、サブチャネル＃ｉの信号電力で比較した推定ＳＩＲｔi として出力信号選択部７に出力する。出力信号選択部７は、電力比算出部６から入力された推定ＳＩＲｔi と、予め定められる閾値ＸおよびＹとを比較し、満たす条件に応じて出力するサブキャリアの受信信号を選択する。出力信号選択部７における処理は、サブチャネル＃ｉごとに推定ＳＩＲｔi に基づいた処理を行う他は、実施例１と同様である。
【００６１】
図６は、本発明の受信方法の実施例２の処理手順例を示す。
図６において、ステップＳ１〜Ｓ５−１，Ｓ５−２までの処理は、図４に示す実施例１と同様である。電力比算出部６は、サブチャネル＃ｉにおいて、アダプティブアレー信号処理部４ａ，４ｂの出力信号電力Ｓ１i ，Ｓ２i をそれぞれ算出し、さらにＳ１i／Ｓ２iを算出し、サブチャネル＃ｉの推定ＳＩＲｔi として出力信号選択部７に出力する（ステップＳ６’）。出力信号選択部７は、サブチャネル＃ｉにおいて、Ｓ１i／Ｓ２iと閾値Ｘ，Ｙとを比較し、満たす条件に従いバッファ５ａ，５ｂから出力する各サブキャリアの信号を選択し、並列／直列変換部８へ出力する（ステップＳ７’）。このステップＳ６’，Ｓ７’の処理を全サブチャネルに対して行う。
【００６２】
並列／直列変換部８は、サブチャネル＃ｉごとに選択された各サブキャリアの受信信号を直列の受信信号に変換し、復調部９へ出力する（ステップＳ８）。復調部９は、並列／直列変換部８から入力された受信信号に対して復調処理を行うことによりデータ系列を取得し、取得したデータ系列を出力し（ステップＳ９）、受信動作を終了させる（ステップＳ１０）。
【００６３】
このように、２つのアルゴリズムパターンにてサブキャリア毎にアダプティブアレー処理を適用した信号から、サブチャネルごとにＳＩＲｔi を推定し、推定したＳＩＲｔi に応じて復調処理に出力する適用アルゴリズムのパターンを選択することにより、任意の干渉レベルにおいて適切に干渉信号を抑圧した受信信号が得られる。さらには、サブチャネルごとに干渉電力の推定処理を実施することで、周波数選択性フェージングの有するチャネル環境下において高い精度にて干渉電力を推定し、適切にアレー処理を選択することが可能となり、高い干渉抑圧効果を得ることが可能となる。
【００６４】
以上説明した実施例１および実施例２における受信装置の直列／並列変換部３ａ，３ｂ以降の各処理部をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであっても良く、さらに前述した機能をコンピュータシステムにすでに記録されているプログラムとの組み合わせで実現できるものであってもよく、ＰＬＤ（Programmable Logic Device ）やＦＰＧＡ（Field Programmable Gate Array ）等のハードウェアを用いて実現されるものであってもよい。
【産業上の利用可能性】
【００６５】
干渉電力に応じて適用するアダプティブアレーアルゴリズムを動的に選択適用し、干渉抑圧効果を向上させることが不可欠な用途に適用できる。
【符号の説明】
【００６６】
１  アンテナ
２  無線部
３  直列／並列変換部
４  アダプティブアレー信号処理部
４１  アレー処理選択部
４２  ウェイト算出部
４３，４４  乗算器
４５  加算器
５  バッファ
６  電力比推定部
７  出力信号選択部
８  並列／直列変換部
９  復調部
【図１】
2016042637.tif 000003
【図２】
2016042637.tif 000004
【図３】
2016042637.tif 000005
【図４】
2016042637.tif 000006
【図５】
2016042637.tif 000007
【図６】
2016042637.tif 000008
【図７】
2016042637.tif 000009
【図８】
2016042637.tif 000010
【図９】
2016042637.tif 000011
【図１０】
2016042637.tif 000012